(57)【要約】【課題】  娯楽性に富み利用者に感興を催させる新たな機能を備えた音楽再生装置を提供する。【解決手段】  第１の演奏曲に含まれる所定のフレーズに対応する歌詞の最後の１文字を、歌詞の最初の１文字とするフレーズを有する第２の演奏曲を多数の演奏曲のうちから抽出する抽出手段５６と、前記第１の演奏曲に含まれる前記フレーズを出力させ、続いて前記第２の演奏曲に含まれる前記フレーズを出力させる演奏手段６２とを、含むことから、前記抽出手段５６及び演奏手段６２による処理を繰り返すことで、娯楽性あるしりとり演奏ゲームを実現することができる。すなわち、娯楽性に富み利用者に感興を催させる新たな機能を備えたカラオケ装置１０を提供することができる。【選択図】  図４
2006084494.tif 000002
【特許請求の範囲】
【請求項１】
多数の演奏曲のうちから選択される所定の演奏曲を出力させる音楽再生装置であって、
第１の演奏曲に含まれる所定のフレーズに対応する歌詞の最後の１文字を、歌詞の最初の１文字とするフレーズを有する第２の演奏曲を前記多数の演奏曲のうちから抽出する抽出手段と、
前記第１の演奏曲に含まれる前記フレーズを出力させ、続いて前記第２の演奏曲に含まれる前記フレーズを出力させる演奏手段と
を、含むことを特徴とする音楽再生装置。
【請求項２】
前記演奏手段により出力されるフレーズに対応する演奏情報と外部から入力される音声情報とに基づいて演奏評価を行う評価手段を含み、前記演奏手段は、該評価手段による評価が所定値未満である場合には、前記フレーズの出力を中止するものである請求項１の音楽再生装置。
【請求項３】
前記第１の演奏曲は、前記多数の演奏曲のうちから所定の入力操作によって選択されるものである請求項１又は２の音楽再生装置。
【請求項４】
前記抽出手段は、前記第１の演奏曲に含まれる所定のフレーズに対応する歌詞の最後の１文字を、歌詞の最初の１文字とするフレーズを有する複数の演奏曲を前記多数の演奏曲のうちから抽出するものであり、該抽出手段により抽出された複数の演奏曲のうちから所定の入力操作によって選択される１つの演奏曲を前記第２の演奏曲として決定する次曲決定手段を含むものである請求項１から３の何れかの音楽再生装置。
【請求項５】
前記抽出手段は、所定の入力操作によって入力される抽出キーに応じて前記多数の演奏曲のうちから前記第１の演奏曲及び第２の演奏曲とされる所定数の演奏曲を抽出するものである請求項１から４の何れかの音楽再生装置。
【請求項６】
前記抽出手段により抽出される所定数の演奏曲それぞれに含まれる前記フレーズを連結して所定のメドレー曲を作成するメドレー曲作成手段を含み、前記演奏手段は、該メドレー曲作成手段により作成されたメドレー曲を出力させるものである請求項５の音楽再生装置。
【発明の詳細な説明】
【技術分野】
【０００１】
本発明は、多数の演奏曲のうちから選択される所定の演奏曲を出力させる音楽再生装置の改良に関する。
【背景技術】
【０００２】
多数の演奏曲のうちから選択される所定の演奏曲を出力させる音楽再生装置が知られている。例えば、カラオケボックス等で使用されるカラオケ装置がそれである。斯かるカラオケ装置によれば、予め記憶装置に記憶された多数のカラオケ演奏曲から選択された所定のカラオケ演奏曲の音楽情報を出力させると共に、そのカラオケ演奏曲の歌詞情報を含む映像をその出力に同期して画面に表示させることで、所望の歌のカラオケ演奏を楽しむことができる。
【０００３】
ところで、近年普及しているカラオケ装置としては、上述のような音楽再生装置としての機能のみならず、利用者に感興を催させるための娯楽的な機能を備えたものが提案されている。例えば、特許文献１に記載されたカラオケ言葉遊びシステムがそれである。この技術によれば、複数の単語を含む課題単語集を記憶する記憶手段と、選曲された演奏曲の曲名、アーティスト名、或いは歌詞等から選択された対象に含まれている単語の集合を楽曲起因単語集として抽出する抽出手段と、その楽曲起因単語集と前記記憶手段に記憶された課題単語集とを比較して両単語集にて一致する単語を検出する比較手段と、その比較手段により検出された両単語集にて一致する単語を逐次集積処理することで課題達成過程を表現する画面情報を逐次生成して表示させる課題達成過程表現手段とを、含むことから、通常のカラオケ演奏の中で言葉遊びのゲーム的な要素を伴った付加サービスを提供することができるとされている。
【０００４】
【特許文献１】特開２００３−１９５８７７号公報
【０００５】
しかし、前記従来の技術により実現されるクロスワードパズルは、前記両単語集にて一致する単語により空欄を埋めてゆくという単純で娯楽性に欠けるものであった。また、しりとり遊びや連想言葉遊びをはじめとする種々の言葉遊びのゲームを実行し得るとされているが、それらの具体的な内容については一切開示されておらず、利用者に感興を催させるゲーム的な要素を伴った付加サービスを提供することは困難であった。そこで、本発明者は、娯楽性に富み利用者に感興を催させる新たな機能を備えた音楽再生装置を開発すべく、鋭意研究を継続してきた。
【発明の開示】
【発明が解決しようとする課題】
【０００６】
本発明は、以上の事情を背景として為されたものであり、その目的とするところは、娯楽性に富み利用者に感興を催させる新たな機能を備えた音楽再生装置を提供することにある。
【課題を解決するための手段】
【０００７】
斯かる目的を達成するために、本発明の要旨とするところは、多数の演奏曲のうちから選択される所定の演奏曲を出力させる音楽再生装置であって、第１の演奏曲に含まれる所定のフレーズに対応する歌詞の最後の１文字を、歌詞の最初の１文字とするフレーズを有する第２の演奏曲を前記多数の演奏曲のうちから抽出する抽出手段と、前記第１の演奏曲に含まれる前記フレーズを出力させ、続いて前記第２の演奏曲に含まれる前記フレーズを出力させる演奏手段とを、含むことを特徴とするものである。
【発明の効果】
【０００８】
このようにすれば、第１の演奏曲に含まれる所定のフレーズに対応する歌詞の最後の１文字を、歌詞の最初の１文字とするフレーズを有する第２の演奏曲を前記多数の演奏曲のうちから抽出する抽出手段と、前記第１の演奏曲に含まれる前記フレーズを出力させ、続いて前記第２の演奏曲に含まれる前記フレーズを出力させる演奏手段とを、含むことから、前記抽出手段及び演奏手段による処理を繰り返すことで、娯楽性あるしりとり演奏ゲームを実現することができる。すなわち、娯楽性に富み利用者に感興を催させる新たな機能を備えた音楽再生装置を提供することができる。
【０００９】
ここで、好適には、前記演奏手段により出力されるフレーズに対応する演奏情報と外部から入力される音声情報とに基づいて演奏評価を行う評価手段を含み、前記演奏手段は、その評価手段による評価が所定値未満である場合には、前記フレーズの出力を中止するものである。このようにすれば、前記しりとり演奏ゲームの娯楽性を更に高めることができるという利点がある。
【００１０】
また、好適には、前記第１の演奏曲は、前記多数の演奏曲のうちから所定の入力操作によって選択されるものである。このようにすれば、前記しりとり演奏ゲームにおける最初の１曲を利用者により選曲させることで、１曲も歌えずにゲームが終了することを防止できるという利点がある。
【００１１】
また、好適には、前記抽出手段は、前記第１の演奏曲に含まれる所定のフレーズに対応する歌詞の最後の１文字を、歌詞の最初の１文字とするフレーズを有する複数の演奏曲を前記多数の演奏曲のうちから抽出するものであり、その抽出手段により抽出された複数の演奏曲のうちから所定の入力操作によって選択される１つの演奏曲を前記第２の演奏曲として決定する次曲決定手段を含むものである。このようにすれば、複数の候補曲の中から次曲を利用者により選曲させることで、前記しりとり演奏ゲームにインタラクティブな要素を付加でき、娯楽性を更に高めることができるという利点がある。
【００１２】
また、好適には、前記抽出手段は、所定の入力操作によって入力される抽出キーに応じて前記多数の演奏曲のうちから前記第１の演奏曲及び第２の演奏曲とされる所定数の演奏曲を抽出するものである。このようにすれば、互いに関連を有する所定数の演奏曲を予め抽出し、それらを適宜前記第１の演奏曲及び第２の演奏曲とすることで、前記しりとり演奏ゲームの遊び方の幅を広げることができるという利点がある。
【００１３】
また、好適には、前記抽出手段により抽出される所定数の演奏曲それぞれに含まれる前記フレーズを連結して所定のメドレー曲を作成するメドレー曲作成手段を含み、前記演奏手段は、そのメドレー曲作成手段により作成されたメドレー曲を出力させるものである。このようにすれば、途切れないメドレー曲によりスピード感ある前記しりとり演奏ゲームを実現できるという利点がある。
【実施例１】
【００１４】
以下、本発明の好適な実施例を図面に基づいて詳細に説明する。
【００１５】
図１は、本発明の音楽再生装置の一実施例であるカラオケ装置１０の構成を例示するブロック線図である。この図１に示すように、上記カラオケ装置１０は、ＣＲＴ等の映像表示装置１２と、ディスクプレーヤ１４と、ビデオミキサ１６と、アンプミキサ１８と、スピーカ２０と、音声入力装置であるマイクロフォン２２と、操作パネル２４と、中央演算処理装置であるＣＰＵ２６と、ＲＯＭ２８と、ＲＡＭ３０と、記憶装置であるハードディスク３２と、モデム３４と、ＣＲＴコントローラ３６と、上記操作パネル２４等からの入力信号を処理する入出力インターフェイス３８と、音源であるシンセサイザ４０と、リモコン装置４８や電子早見本装置５０等の入力装置からのリモコン信号を受信するためのリモコン受信部４２と、その電子早見本装置５０等との間で無線ＬＡＮ通信を行うための無線ＬＡＮ通信部４４と、Ａ／Ｄコンバータ４６とを、備えて構成されている。
【００１６】
上記ＣＰＵ２６は、上記ＲＡＭ３０の一時記憶機能を利用しつつ上記ＲＯＭ２８に予め記憶された所定のプログラムに基づいて電子情報を処理・制御する所謂コンピュータであり、上記リモコン装置４８や電子早見本装置５０等により所定のカラオケ演奏曲が選曲された場合、その選曲されたカラオケ演奏曲を上記ＲＡＭ３０に設けられた予約曲リストに登録したり、その予約曲リストの演奏順に従って上記ハードディスク３２から上記ＲＡＭ３０に選曲されたカラオケ演奏曲の演奏情報及び歌詞情報等を読み出したり、カラオケ演奏曲の演奏が進行するのに応じてそのＲＡＭ３０から上記シンセサイザ４０へ演奏情報を送信したり、歌詞情報に基づいて歌詞文字映像を生成して上記ＣＲＴコントローラ３６へ送ったり、選曲時には曲名文字映像を生成して上記ＣＲＴコントローラ３６へ送ったり、上記ディスクプレーヤ１４を制御して所定の背景映像を再生させる等の基本的な制御に加えて、後述するしりとり演奏制御を実行する。
【００１７】
前記操作パネル２４は、前記カラオケ装置１０の利用者が歌いたいカラオケ演奏曲を選択したり、演奏曲の音程を調整したり、演奏と歌との音量バランスを調整したり、その他、エコー、音量、トーン等の各種調整を行うための操作ボタン（スイッチ）或いはつまみを備えた入力装置である。また、前記カラオケ装置１０には、前記操作パネル２４の一部機能を遠隔で実行するための入力装置として機能するリモコン装置４８及び電子早見本装置５０が備えられており、前記リモコン受信部４２は、それら入力装置から送信されるリモコン信号を受信して前記ＣＰＵ２６へ供給する。また、前記無線ＬＡＮ通信部４４は、前記電子早見本装置５０との間で無線ＬＡＮ通信を行うことによりその電子早見本装置５０からの選曲入力を受け付けたり、前記カラオケ装置１０から電子早見本装置５０へ所定の処理を実行させるための指令を送信したりというように、電波を介して前記カラオケ装置１０と電子早見本装置５０との間における相互の情報のやりとりを行う。
【００１８】
前記ディスクプレーヤ１４は、利用者が歌詞を参照しながら歌を歌う際に前記映像表示装置１２に表示される背景映像を記憶したＣＤやＤＶＤを再生する背景映像再生装置である。また、前記ＣＲＴコントローラ３６は、前記ＣＰＵ２６において生成された歌詞文字映像等の文字映像（テロップ）を出力する文字映像出力装置であり、前記ビデオミキサ１６は、前記ＣＰＵ２６において生成され且つ前記ＣＲＴコントローラ３６から出力される文字映像と、前記ディスクプレーヤ１４により再生される背景映像とを合成して前記映像表示装置１２に表示させる映像合成装置である。
【００１９】
前記シンセサイザ４０は、前記ハードディスク３２から読み出されて送られて来るカラオケ演奏曲の演奏情報に基づいて楽器の演奏信号等の音楽信号を生成する音源である。この演奏情報は、例えば、ＭＩＤＩ（Musical Instrument Digital Interface）形式の音楽データであり、そのＭＩＤＩデータに応じて前記シンセサイザ４０により生成された音楽信号は、アナログ信号に変換されて前記アンプミキサ１８へ送られる。そのアンプミキサ１８では、送られてきた音楽信号と前記マイクロフォン２２を介して入力される利用者の歌声とがミキシングされ、それらの信号が電気的に増幅されて前記スピーカ２０から出力される。また、前記Ａ／Ｄコンバータ４６は、後述するカラオケ演奏評価処理のために、前記マイクロフォン２２から入力される音声をディジタル信号に変換して前記ＣＰＵ２６に供給する。
【００２０】
前記ハードディスク３２には、多数のカラオケ情報を記憶するカラオケデータベース５４が設けられている。前記モデム３４は、前記カラオケ装置１０を公衆電話回線等による通信回線５２に接続するための装置である。カラオケボックス等の店舗にそれぞれ備えられた複数のカラオケ装置１０は、上記通信回線５２を介して図示しないカラオケサービス提供会社のセンタ装置に接続されており、それら複数のカラオケ装置１０によって常に新しい曲が演奏可能とされるように、随時新曲のカラオケ情報が上記センタ装置から上記通信回線５２を介してダウンロードされ、前記ハードディスク３２のカラオケデータベースに記憶されるようになっている。すなわち、前記カラオケ装置１０は、電気通信回線を通じて各種情報の送受信を実行し得る通信カラオケ装置である。
【００２１】
図２は、前記ハードディスク３２のカラオケデータベース５４に記憶されるカラオケ情報の内容を説明する図である。本実施例のカラオケ装置１０により演奏される多数の演奏曲は、予め定められた複数（例えば、６４種類）のジャンルのうち少なくとも１つのジャンルにそれぞれ属するものであり、上記カラオケデータベース５４に記憶されるカラオケ情報は、図２に示すように、タイトル情報、ＭＩＤＩ形式の演奏情報、及び歌詞情報等を含み、演奏曲のＩＤである選曲番号により識別されるようになっている。また、上記タイトル情報には、演奏曲の曲名、アーティスト名、ジャンル、及び発表年等が定められている。
【００２２】
図３は、前記カラオケ装置１０により演奏される演奏曲に含まれるフレーズについて説明する図である。ここで、フレーズとは、楽句等とも称されるものであり、前記演奏曲において歌詞の意味や旋律の上で自然な区切りで区切られるまとまりを言う。通常の演奏曲は、それぞれ意味のある歌詞を有する複数のフレーズから成るものであり、例えば、図３に示すように、歌詞「大きなのっぽの古時計」を有するフレーズ１、歌詞「おじいさんの時計」を有するフレーズ２、歌詞「百年いつも動いていた」を有するフレーズ３、・・・、歌詞「今はもう動かないその時計」を有するフレーズｎから構成される。本実施例において、好適には、前記カラオケ情報の歌詞情報にこのフレーズの区切りが定められており、それぞれのフレーズがどの文字に始まりどの文字に終わるか確認できるようになっている。
【００２３】
図４は、前記カラオケ装置１０のＣＰＵ２６に備えられた制御機能の要部を説明する機能ブロック線図である。この図４に示す抽出手段５６は、所定の第１の演奏曲に含まれる所定のフレーズに対応する歌詞の最後の１文字を、歌詞の最初の１文字とするフレーズを有する第２の演奏曲を前記カラオケデータベース５４に記憶された多数の演奏曲のうちから抽出する。このフレーズは、前記カラオケ情報の歌詞情報に定められた区切りには限られず、幾つかの区切りから成る所定長のフレーズを意味し、好適には、各演奏曲のサビに対応する部分である。例えば、第１の演奏曲に含まれる所定のフレーズが、上述した図３に示すフレーズ３で終わる場合には、「百年いつも動いていた」の最後の１文字である「た」を歌詞の最初の１文字とするフレーズを有する第２の演奏曲を抽出する。なお、図３では仮名及び漢字を含めて歌詞を説明しているが、本実施例での１文字とは、五十音仮名のような音節文字における１文字を言うものとする。また、上記第１の演奏曲は、好適には、前記カラオケデータベース５４に記憶された多数の演奏曲のうちから所定の入力操作により入力されるものである。
【００２４】
上記抽出手段５６は、好適には、前記第１の演奏曲に含まれる所定のフレーズに対応する歌詞の最後の１文字を、歌詞の最初の１文字とするフレーズを有する複数（例えば、５曲）の演奏曲を前記カラオケデータベース５４に記憶された多数の演奏曲のうちから抽出する。また、好適には、所定の入力操作によって入力される抽出キーに応じて前記多数の演奏曲のうちから前記第２の演奏曲とされる所定数の演奏曲を抽出する。この抽出キーとは、例えば、前記演奏曲のアーティスト名、ジャンル、或いは発表年等であり、前記リモコン装置４８等により入力される抽出キーに応じた（例えば、所定のジャンルに属する）複数の演奏曲を前記カラオケデータベース５４に記憶された多数の演奏曲のうちから抽出する。
【００２５】
抽出曲表示手段５８は、前記抽出手段５６により抽出された複数の演奏曲すなわち第２の演奏曲の候補曲を表示させる。好適には、それら複数の演奏曲それぞれの曲名を前記映像表示装置１２に前記リモコン装置４８等により選択可能に表示させる。また、好適には、上記複数の演奏曲それぞれの曲名を前記電子早見本装置５０のディスプレイにタッチ選択可能に表示させる。次曲決定手段６０は、上記抽出曲表示手段５８により表示された上記複数の演奏曲のうちから所定の入力操作によって選択される１つの演奏曲を前記第２の演奏曲として決定する。
【００２６】
演奏手段６２は、前記第１の演奏曲に含まれる前記フレーズを出力させ、続いて前記第２の演奏曲に含まれる前記フレーズを出力させる。すなわち、前記抽出手段５６により抽出される演奏曲それぞれに含まれる所定のフレーズを断続的乃至は連続的に演奏する。具体的には、前記カラオケデータベース５４に記憶されたカラオケ情報を読み出し、そのカラオケ情報に含まれる演奏情報における前記フレーズに対応する部分を前記シンセサイザ４０等を介して出力する。ここで、前記抽出手段５６及び演奏手段６２による処理が繰り返されることで、所定の演奏曲に含まれる所定のフレーズに対応する歌詞の最後の１文字を、歌詞の最初の１文字とするフレーズを有する演奏曲が随時抽出されるため、この演奏手段６２により演奏されるフレーズは、あたかもしりとり遊びのように、先に演奏されたフレーズの語尾の一音を、次に演奏されるフレーズが頭字として用いて継続してゆく。
【００２７】
評価手段６４は、前記演奏手段６２により出力されるフレーズに対応する演奏情報と前記マイクロフォン２２から入力される音声情報すなわち利用者の歌唱とに基づいて演奏評価を行う。例えば、前記マイクロフォン２２により入力されて前記Ａ／Ｄコンバータ４６によりディジタル信号に変換された音声情報と、前記シンセサイザ４０により出力される音楽情報とを比較し、メロディなどの基本音程と入力される音声から抽出される音程との相対的なずれやその音声の絶対的な声量などを基準として採点を行う。また、簡単には、前記マイクロフォン２２からの音声入力があるか否かを基準として演奏評価を行う。
【００２８】
前記演奏手段６２は、好適には、上記評価手段６４による評価が所定値未満である場合には、前記フレーズの出力を中止する。好適には、上記評価手段６４による評価が所定時間継続して所定値未満である（例えば、１５秒間継続して前記マイクロフォン２２からの音声入力がない）場合には、前記フレーズの出力を中止する。
【００２９】
図５は、前記カラオケ装置１０のＣＰＵ２６によるしりとり演奏制御（しりとり歌合戦制御）を説明するフローチャートであり、所定の周期で繰り返し実行されるものである。
【００３０】
先ず、ステップ（以下、ステップを省略する）Ｓ１において、前記カラオケデータベース５４に記憶された多数の演奏曲のうちから所定の入力操作により第１の演奏曲が選曲入力される。次に、Ｓ２において、Ｓ１の選曲入力に応じて前記カラオケ装置１０における選曲番号受信アプリが起動させられる。次に、Ｓ３において、前記映像表示装置１２に所定のジャンル選択画面が表示され、前記リモコン装置４８等により２曲目以降の演奏曲のジャンルが選択入力される。次に、Ｓ４において、Ｓ１にて入力された第１の演奏曲に含まれる該当フレーズの演奏が開始させられる。次に、前記評価手段６４の動作に対応するＳ５において、前記マイクロフォン２２から１５秒間継続して音声の入力がないか否かが判断される。このＳ５の判断が肯定される場合には、Ｓ１２において、前記カラオケ装置１０における選曲番号受信アプリのアプリマネージャが終了させられてしりとり演奏制御が中断された後、本ルーチンが終了させられるが、Ｓ５の判断が否定される場合には、Ｓ６において、先に演奏されたフレーズに対応する歌詞の最後の１文字を、歌詞の最初の１文字とするフレーズを有する複数の演奏曲（第２の演奏曲候補）が前記カラオケデータベース５４に記憶された多数の演奏曲のうちから抽出される。次に、Ｓ７において、Ｓ６にて抽出された候補曲からランダムに５曲の演奏曲が抽出される。次に、Ｓ８において、演奏されているフレーズが演奏終了であるか否かが判断される。このＳ８の判断が否定されるうちは、Ｓ８の判断が繰り返されることにより待機させられるが、Ｓ８の判断が肯定される場合には、Ｓ９において、Ｓ７にて抽出された５曲の演奏曲の曲名が前記映像表示装置１２に表示され、前記リモコン装置４８等による選択入力待ち状態となる。次に、Ｓ１０において、前記リモコン装置４８等による選択入力が１５秒間ないか否かが判断される。このＳ１０の判断が否定される場合、すなわち１５秒以内に第２の演奏曲の選択入力が行われた場合には、Ｓ１１において、前記リモコン装置４８等により選択入力された第２の演奏曲に含まれる該当するフレーズの演奏が開始された後、Ｓ５以下の処理が再び実行されるが、Ｓ１０の判断が肯定される場合には、Ｓ１２以下の処理が実行される。以上の制御において、Ｓ６及びＳ７が前記抽出手段５６の動作に、Ｓ９乃至Ｓ１１が前記次曲決定手段６０の動作に、Ｓ４、Ｓ８、及びＳ１１が前記演奏手段６２の動作にそれぞれ対応する。
【００３１】
このように、本実施例によれば、第１の演奏曲に含まれる所定のフレーズに対応する歌詞の最後の１文字を、歌詞の最初の１文字とするフレーズを有する第２の演奏曲を前記多数の演奏曲のうちから抽出する抽出手段５６（Ｓ６及びＳ７）と、前記第１の演奏曲に含まれる前記フレーズを出力させ、続いて前記第２の演奏曲に含まれる前記フレーズを出力させる演奏手段６２（Ｓ４、Ｓ８、及びＳ１１）とを、含むことから、前記抽出手段５６及び演奏手段６２による処理を繰り返すことで、娯楽性あるしりとり演奏ゲームを実現することができる。すなわち、娯楽性に富み利用者に感興を催させる新たな機能を備えたカラオケ装置１０を提供することができる。
【００３２】
また、前記演奏手段６２により出力されるフレーズに対応する演奏情報と外部から入力される音声情報とに基づいて演奏評価を行う評価手段６４（Ｓ５）を含み、前記演奏手段６２は、その評価手段６４による評価が所定値未満である場合には、前記フレーズの出力を中止するものであるため、前記しりとり演奏ゲームの娯楽性を更に高めることができるという利点がある。
【００３３】
また、前記第１の演奏曲は、前記多数の演奏曲のうちから所定の入力操作によって選択されるものであるため、前記しりとり演奏ゲームにおける最初の１曲を利用者により選曲させることで、１曲も歌えずにゲームが終了することを防止できるという利点がある。
【００３４】
また、前記抽出手段５６は、前記第１の演奏曲に含まれる所定のフレーズに対応する歌詞の最後の１文字を、歌詞の最初の１文字とするフレーズを有する複数の演奏曲を前記多数の演奏曲のうちから抽出するものであり、その抽出手段５６により抽出された複数の演奏曲のうちから所定の入力操作によって選択される１つの演奏曲を前記第２の演奏曲として決定する次曲決定手段６０（Ｓ９乃至Ｓ１１）を含むものであるため、複数の候補曲の中から次曲を利用者により選曲させることで、前記しりとり演奏ゲームにインタラクティブな要素を付加でき、娯楽性を更に高めることができるという利点がある。
【００３５】
また、前記抽出手段５６は、所定の入力操作によって入力される抽出キーに応じて前記多数の演奏曲のうちから前記第２の演奏曲とされる所定数の演奏曲を抽出するものであるため、互いに関連を有する所定数の演奏曲を予め抽出し、それらを適宜前記第２の演奏曲とすることで、前記しりとり演奏ゲームの遊び方の幅を広げることができるという利点がある。
【００３６】
続いて、本発明の他の好適な実施例を図面に基づいて詳細に説明する。なお、以下の説明に用いる図面に関して、前述した第１実施例と共通する部分については共通の符号を付してその説明を省略する。
【実施例２】
【００３７】
図６は、前記カラオケ装置１０のＣＰＵ２６に備えられた制御機能の他の一例の要部を説明する機能ブロック線図である。この図４に示す抽出手段６６は、所定の入力操作によって入力される抽出キーに応じて前記多数の演奏曲のうちから前記第１の演奏曲及び第２の演奏曲とされる所定数の演奏曲を抽出する。この抽出キーとは、例えば、前記演奏曲のアーティスト名、ジャンル、或いは発表年等であり、前記リモコン装置４８等により入力される抽出キーに応じた（例えば、所定のジャンルに属する）複数の演奏曲を前記カラオケデータベース５４に記憶された多数の演奏曲のうちから抽出する。すなわち、前記第１の演奏曲及び第２の演奏曲の区別なく、所定の抽出キーで括られる所定数の演奏曲をそれらの候補として抽出する。
【００３８】
メドレー曲作成手段６８は、上記抽出手段６６により抽出される所定数の演奏曲それぞれに含まれる前記フレーズを連結して所定のメドレー曲を作成する。例えば、上記抽出手段６６により抽出される所定数の候補曲のうちから第１の演奏曲をランダムに選出し、その第１の演奏曲に含まれる所定のフレーズに対応する歌詞の最後の１文字を、歌詞の最初の１文字とするフレーズを有する第２の演奏曲を残りの候補曲のうちから抽出する。そして、上記第１の演奏曲に含まれる該当フレーズと第２の演奏曲に含まれる該当フレーズとを連結する。斯かる処理を繰り返すことにより、上記所定数の候補曲それぞれに含まれる該当フレーズが連結され、しりとり演奏用メドレー曲として作成される。
【００３９】
演奏手段７０は、上記メドレー曲作成手段６８により作成されたメドレー曲を出力させる。好適には、前記評価手段６４による評価が所定値未満である場合には、斯かるメドレー曲の出力を中止する。例えば、１５秒間継続して前記マイクロフォン２２からの音声入力がない場合には、歌い続けられなかったものとして上記メドレー曲の出力を中止する。
【００４０】
図７は、前記カラオケ装置１０のＣＰＵ２６によるしりとり演奏制御を説明するフローチャートであり、所定の周期で繰り返し実行されるものである。この図７の制御は、前述した図５の制御に対応するものであり、共通するステップについては同一の符号を付してその説明を省略する。
【００４１】
図７の制御では、前述したＳ３の処理に続いて、前記抽出手段６６の動作に対応するＳ１３において、前記カラオケデータベース５４に記憶された多数の演奏曲のうちからＳ３にて選択入力されたジャンルに応じて前記第１の演奏曲及び第２の演奏曲とされる所定数の演奏曲が抽出され、それら演奏曲の該当フレーズテーブルが作成される。次に、前記メドレー曲作成手段６８の動作に対応するＳ１４において、Ｓ１３にて作成された該当フレーズテーブルに記憶されたフレーズが連結されて所定のメドレー曲が作成される。次に、Ｓ１５において、Ｓ１４にて作成されたメドレー曲の演奏が開始される。次に、前述したＳ５において、前記マイクロフォン２２から１５秒間継続して音声の入力がないか否かが判断される。このＳ５の判断が肯定される場合には、Ｓ１２において、前記カラオケ装置１０における選曲番号受信アプリのアプリマネージャが終了させられてしりとり演奏制御が中断された後、本ルーチンが終了させられるが、Ｓ５の判断が否定される場合には、Ｓ１６において、メドレー曲の演奏終了であるか否かが判断される。このＳ１６の判断が否定されるうちは、Ｓ１６の判断が繰り返されることにより待機させられるが、Ｓ１６の判断が肯定される場合には、Ｓ１２において、前記カラオケ装置１０における選曲番号受信アプリのアプリマネージャが終了させられてしりとり演奏制御が中断された後、本ルーチンが終了させられる。以上の制御において、Ｓ１５及びＳ１６が前記演奏手段７０の動作に対応する。
【００４２】
このように、本実施例において、前記抽出手段６６（Ｓ１３）は、所定の入力操作によって入力される抽出キーに応じて前記多数の演奏曲のうちから前記第１の演奏曲及び第２の演奏曲とされる所定数の演奏曲を抽出するものであるため、互いに関連を有する所定数の演奏曲を予め抽出し、それらを適宜前記第１の演奏曲及び第２の演奏曲とすることで、前記しりとり演奏ゲームの遊び方の幅を広げることができるという利点がある。
【００４３】
また、前記抽出手段６６により抽出される所定数の演奏曲それぞれに含まれる前記フレーズを連結して所定のメドレー曲を作成するメドレー曲作成手段６８（Ｓ１４）を含み、前記演奏手段７０（Ｓ１５及びＳ１６）は、そのメドレー曲作成手段６８により作成されたメドレー曲を出力させるものであるため、途切れないメドレー曲によりスピード感ある前記しりとり演奏ゲームを実現できるという利点がある。
【００４４】
以上、本発明の好適な実施例を図面に基づいて詳細に説明したが、本発明はこれに限定されるものではなく、更に別の態様においても実施される。
【００４５】
例えば、前述の実施例において、前記抽出手段５６、６６は、前記第１の演奏曲に含まれる所定のフレーズに対応する歌詞の最後の１文字を、歌詞の最初の１文字とするフレーズを有する第２の演奏曲を前記カラオケデータベース５４に記憶された多数の演奏曲のうちから抽出するものであったが、例えば、前記第１の演奏曲における歌詞の最後の１文字を、歌詞の最初の１文字とする第２の演奏曲を前記カラオケデータベース５４に記憶された多数の演奏曲のうちから抽出するものであってもよい。すなわち、対象となる演奏曲を最後まで（全フレーズ）出力させ、その最後の１文字を最初の１文字とする演奏曲を次曲として出力させる、フル演奏形式のしりとり演奏制御を行うものであっても構わない。
【００４６】
また、前述の実施例において、前記評価手段６４は、前記マイクロフォン２２から音声入力があるか否かを基準として前記フレーズの演奏評価を行うものであったが、例えば、前記マイクロフォン２２により入力されて前記Ａ／Ｄコンバータ４６によりディジタル信号に変換された音声情報と、前記シンセサイザ４０により出力される音楽情報とを比較し、メロディなどの基本音程と入力される音声から抽出される音程との相対的なずれやその音声の絶対的な声量などを基準として０点乃至１００点の点数をつける等、より詳細な演奏評価を行うものであってもよい。この場合、前記演奏手段６２、７０は、その評価手段６４による評価が所定点数例えば７０点未満である場合には、前記フレーズ乃至はメドレー曲の出力を中止する。
【００４７】
その他、一々例示はしないが、本発明はその趣旨を逸脱しない範囲内において種々の変更が加えられて実施されるものである。
【図面の簡単な説明】
【００４８】
【図１】本発明の音楽再生装置の一実施例であるカラオケ装置の構成を例示するブロック線図である。
【図２】図１のカラオケ装置に備えられたハードディスクのカラオケデータベースに記憶されるカラオケ情報の内容を説明する図である。
【図３】図１のカラオケ装置により演奏される演奏曲に含まれるフレーズについて説明する図である。
【図４】図１のカラオケ装置のＣＰＵに備えられた制御機能の要部を説明する機能ブロック線図である。
【図５】図１のカラオケ装置のＣＰＵによるしりとり演奏制御を説明するフローチャートであり、図４の制御機能に対応する図である。
【図６】図１のカラオケ装置のＣＰＵに備えられた制御機能の他の一例の要部を説明する機能ブロック線図である。
【図７】図１のカラオケ装置のＣＰＵによるしりとり演奏制御を説明するフローチャートであり、図６の制御機能に対応する図である。
【符号の説明】
【００４９】
１０：カラオケ装置（音楽再生装置）
５６、６６：抽出手段
６０：次曲決定手段
６２、７０：演奏手段
６４：評価手段
６８：メドレー曲作成手段
【図１】
2006084494.tif 000003
【図２】
2006084494.tif 000004
【図３】
2006084494.tif 000005
【図４】
2006084494.tif 000006
【図５】
2006084494.tif 000007
【図６】
2006084494.tif 000008
【図７】
2006084494.tif 000009